(57)【特許請求の範囲】
【請求項１】
複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理方法であって、
ネットワーク状態に基づくトリガーに応じてスペクトル割り当てプロセスのインスタンスを実行する段階を有し、
前記スペクトル割り当てプロセスは、少なくとも短期スペクトル割り当てプロセスをさらに含むスペクトル共有方式の一部をなす長期スペクトル割り当てプロセスである、
方法。
【請求項２】
前記ネットワーク状態に応じて決まる時間により前記スペクトル割り当てプロセスのインスタンスを周期的に実行する段階を含む、請求項１に記載の方法。
【請求項３】
前記第１の無線通信システムのトラフィック送信成功率を決定し、前記トラフィック送信成功率が所定の閾値より低いときスペクトル割り当てプロセスのインスタンスを実行する段階を含む、請求項１または２に記載の方法。
【請求項４】
前記スペクトル割り当てプロセスは長期スペクトル割り当てプロセスであり、
短期スペクトル割り当てプロセスの失敗を示すシグナリングを受信し、短期スペクトル割り当てプロセスの失敗回数が所定の閾値を越えたとき、長期スペクトル割り当てプロセスのインスタンスを実行する段階を含む、請求項１ないし３いずれか一項に記載の方法。
【請求項５】
前記スペクトル割り当てプロセスのインスタンスの実行は、プロセスに関わる各無線通信システムの好ましいスペクトル構成を取得し、前記好ましいスペクトル構成に基づき最終的スペクトル構成を計算する段階を含む、請求項１ないし４いずれか一項に記載の方法。
【請求項６】
前記好ましいスペクトル構成を取得する段階は、他の各無線通信システムからそれぞれの好ましいスペクトル構成を示すシグナリングを受信する段階を含み、
前記第１の無線通信システムの付加的／余剰スペクトル量を計算し、前記付加的／余剰スペクトルの量を用いて前記第１の無線通信システムにアロケーションするスペクトルのチャンクの大きさを決定し、
前記スペクトル割り当てプロセスに関わる他の各無線通信システムにアロケーションするスペクトルのチャンクの大きさを評価し、
前記スペクトルのチャンクを配置して前記第１の無線通信システムの好ましいスペクトル構成を形成することにより前記第１の無線通信システムの好ましいスペクトル構成を取得する段階をさらに含む、請求項５に記載の方法。
【請求項７】
前記最終スペクトル構成を計算する段階は、前記好ましいスペクトル構成を平均する段階を含む、請求項５または６に記載の方法。
【請求項８】
前記第１の無線通信システムは前記スペクトル割り当てプロセスに関与する無線通信システム中のリード無線通信システムである、前記第１の無線通信システムにより実行される請求項５ないし７いずれか一項に記載の方法。
【請求項９】
前記スペクトル割り当てプロセスは前記第１の無線通信システムを含む少なくとも３つの無線通信システムが関与する、請求項１ないし３いずれか一項に記載の方法。
【請求項１０】
無線通信システムの好ましいスペクトル構成と前記最終的なスペクトル構成の少なくとも一方はバンド幅が専用の領域とバンド幅が共有の領域とを含む、請求項５ないし９いずれか一項に記載の方法。
【請求項１１】
前記スペクトル割り当てプロセスに関与する無線通信システムは、同一の全体ネットワークの部分をなす、ネットワーク要素のグループを含み、前記２つ以上の無線通信システムは独立して前記スペクトル割り当てプロセスに参加する、請求項１ないし３いずれか一項に記載の方法。
【請求項１２】
複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理装置であって、
ネットワーク状態に基づくトリガーに応じてスペクトル割り当てプロセスのインスタンスを実行するスペクトル割り当て回路を有し、
前記スペクトル割り当てプロセスは、少なくとも短期スペクトル割り当てプロセスをさらに含むスペクトル共有方式の一部をなす長期スペクトル割り当てプロセスである、
管理装置。
【請求項１３】
ネットワーク要素または外部制御要素の一部であるコンピュータで実行されたとき、前記コンピュータに請求項１ないし１１いずれか一項に記載の方法を実行させるコンピュータプログラム。
【請求項１４】
ネットワーク要素または外部制御要素の一部であるコンピュータにロードされたとき、前記コンピュータを請求項１２に記載の装置にするコンピュータプログラム。
【発明の詳細な説明】
【技術分野】
【０００１】
本発明は無線通信システムにおけるスペクトル使用の制御方法及び装置に関する。
【背景技術】
【０００２】
実用化されつつある新しいサービスやアプリケーションのために、ラジオスペクトルを柔軟に使用する必要性が高まっており、世界中で多くの研究がなされている。ラジオスペクトルリソースの効率的な利用は、ベンダーや無線ネットワークのオペレータにとって新しい収益源となるであろう。
【発明の概要】
【発明が解決しようとする課題】
【０００３】
最近の世界的な研究により、一部のシステムやモバイルオペレータはスペクトルリソースをより効率的に利用したがっているが、ラジオスペクトルリソースのほとんどは多くの場合十分利用されていないか、まったく利用されていない。新しい無線ラジオインフラストラクチャのデザインは、スペクトルをよりよく利用するために、基本的に新しいやり方でスペクトルを共有しようとするものである。
【課題を解決するための手段】
【０００４】
一実施形態による管理方法は、複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理方法であって、ネットワーク状態に基づくトリガーに応じてスペクトル割り当てプロセスのインスタンスを実行する段階を有する方法である。
【発明の効果】
【０００５】
提案されたスペクトル管理アーキテクチャや最近開発されたスペクトル共有機能により、新しいサービスをオペレータネットワークに適合させるのに要する時間を短縮できる。さらに、柔軟なスペクトル利用により、サービスの機能を豊富にして高速化し、ＱｏＳ（Quality of Service）を高め、従来のネットワークよりも大きな満足をユーザに与えることができる。
【図面の簡単な説明】
【０００６】
例として添付した図面を参照して説明する。
【図１】スペクトル割り当てのために提案する簡略化したアーキテクチャを示す図である。
【図２】スペクトル割り当てのために提案する簡略化したアーキテクチャを示す図である。
【図３】スペクトル共存及び共有シナリオにおけるスペクトルを示す図である。
【図４】典型的な初期スペクトルプールを示す図である。
【図５】長期スペクトル割り当てプロセスの２つのラン（run）を示す図である。
【図６】短期スペクトル割り当てプロセスの２つのラン（run）を示す図である。
【図７Ａ】ゲートウェイレベルにおけるチャネルアロケーション／ラジオリソースパーティショニングを示す図である。
【図７Ｂ】基地局におけるチャネルアロケーション／ラジオリソースパーティショニングにおける潜在的なサブチャネル割当てを示す図である。
【図８】使用する時間的な精度（time granularity）に基づくスペクトル割り当ての４つの段階の階層を示す図である。
【図９】長期スペクトルアロケーションプロセスの定期的起動を含む第１の構成を示す図である。並列的な複数の短期スペクトル割り当てが許容されている。
【図１０】潜在的な複数の短期スペクトル割り当てとそれに関係するシグナリングを示す図である。
【図１１】送信されたトラフィック負荷状態に基づき長期スペクトル割り当ての開始（trigger）を含む第２の構成を示す図である。
【図１２】ラジオアクセスネットワークの基地局が他の基地局とスペクトルネゴシエーションを開始する前に要求したスペクトルを得られないシナリオを示す図である。
【図１３】各短期スペクトル割り当てプロセスの失敗または成功の個別の状態に基づく長期スペクトル割り当ての開始（triggering）を含む第３の構成を示す図である。
【図１４】相異なる無線通信システムのゲートウェイにより示唆された好ましいスペクトル構成を示す図である。
【図１５】複数の相異なる好ましいスペクトル構成を組み合わせて長期スペクトル割り当てプロセスの最終的なスペクトル構成を決める（establish）プロセスを示す図である。
【図１６】長期スペクトル割り当てプロセスのためのプロトコルを示す図である。
【図１７】本発明の、スペクトル割り当ての各段階に対するインパクトを示す図である。
【発明を実施するための形態】
【０００７】
図１は、相異なる複数のラジオアクセスネットワーク（ＲＡＮ）がいわゆる長期及び短期のスペクトル割り当てプロセスに関与する、潜在的なシナリオにおけるアーキテクチャを示している。図１の中央の図は、ラジオアクセスネットワークＲＡＮ１−３の３つのゲートウェイＧＷが長期スペクトルネゴシエーションに参加しており、その３つのＲＡＮ１−３の個々のきち局が短期スペクトルネゴシエーションに参加しているところを示している。図１の左側の２つのグラフは、第１のラジオアクセスネットワークＲＡＮ１の第１の基地局ＢＳ１にアロケーションされたスペクトル量と、第２のラジオアクセスネットワークＲＡＮ２の第２の基地局ＢＳ２にアロケーションされたスペクトル量とを表している。各グラフから分かるように、低周波数の曲線は長期スペクトルネゴシエーションの結果として基地局にアロケーションされたスペクトル量を表し、高周波数の曲線は短期スペクトルネゴシエーションの結果として基地局にアロケーションされたスペクトル量を表す。図１の右側の図は、長期スペクトル割り当てにより設定され短期スペクトル割り当てで調整されたスペクトル境界を示す。ここでは、短期スペクトル割り当てプロセスにおいてＲＡＮ３のＢＳ３がＲＡＮ２のＢＳ２からスペクトルの一部を借りている。
【０００８】
図２はスペクトル共有及び共存をする新しいシステムを示す図である。２つ以上のＲＡＮの間でスペクトルの交換ができ、無線モバイルネットワークにおいてスペクトルのよりよく利用でくる。図２において、基地局は短期スペクトル割り当ての時に無線でネゴシエーションし、水平共有（ＲＡＮの間に優先順位がない共有の一種）に参加する。一方、ゲートウェイは長期スペクトル割り当ての時に外部ＩＰネットワークでネゴシエーションし、垂直共有（あるＲＡＮの優先順位が他のＲＡＮの優先順位より高い共有の一種）に参加する。ゲートウェイは中央データベースと通信する。中央データベースは、スペクトルに関するポリシーと規則に関する情報を含み、スペクトルへのアクセスと割り当てに関する履歴ログも含んでいる。
【０００９】
基本的な考え方は、他の複数のＲＡＮのスペクトルを、その複数のＲＡＮが必要としていない時に、独立したラジオアクセスネットワーク（ＲＡＮ）に利用させるというものである。ＲＡＮは、提案したゲートウェイ（ＧＷ）を用いてネゴシエーションすることができる。
【００１０】
スペクトルのネゴシエーションと管理について次の４つの段階を提案する。
【００１１】
スペクトル共存及び共有
第１段階では、複数のＲＡＮ（相異なるオペレータに属するものであってもよい）は、既存の専用のスペクトルバンド以上に、それらのＲＡＮの１つから得られる共有スペクトルバンドの大きさを決定する。典型的なシナリオを図３に示した。図３では、ＲＡＮ１−３にライセンスされた専用バンドが、それ以外の共有バンド幅を借りることにより拡張されている。スペクトルの最終的な境界は正確には、ロケーションに依存し、メトロポリタンエリア、ローカルエリア、及びＲＡＮの座標（Ｘ、Ｙ）などのエリアの性質にも依存し、また空間的な離れ具合と周波数的な離れ具合の間のトレードオフに基づく。図４は、隣接する３つのセルを含む、セル構成の典型的なシナリオを示す。図４から分かるように、利用可能なスペクトルの境界は最初にはセルごとに異なっている。
【００１２】
長期スペクトル割り当て
第２段階では、スペクトルの境界を決定した後、例えば主システムと副システムとの間で、数分ごとに（on a couple of minutes' basis）、相異なる複数のＲＡＮに割り当てられたゲートウェイ間のネゴシエーションにより、利用可能なスペクトルを再構成して、スペクトルの利用効率を最大化するアイデアとして、収益を最大化し、ＱｏＳを改善するのに必要な場合に新しいスペクトルのソースを提供するために、各モバイルオペレータに不使用のスペクトルをやりとりする能力を与える。図５に示したように、トラフィックの状態や、割り当てられ合意されたポリシーと規則とに応じてスペクトルの境界とガードバンド（guard bands）を数分ごとに変更する。
【００１３】
短期スペクトル割り当て
第３段階では、スペクトルの境界を決定した後、図１に示した基地局間でローカルに、１秒から数秒ごとにネゴシエーションを行う。典型的なシナリオを図６に示した。図６では、メトロポリタンエリア（ＭＡ）配置の基地局が、ワイドエリア（ＷＡ）配置と続けてネゴシエーションして、スペクトルを得ている。
【００１４】
チャネルアロケーション／ラジオリソースパーティショニング
物理レイヤとネットワークレイヤの両方において、満足できるＢＥＲレベルを提供するために、ラジオ仕様を変更できると仮定する。ネットワークレベルでは、チャネルアロケーション／ラジオリソースパーティショニングを適用することにより（すなわち、チャネル周波数を適切に選択することにより）、干渉を最小化できる。短期スペクトル割り当てに関する決定をした後、各セルまたは基地局に適切なサブチャネルをアロケーションする決定を数１０ミリ秒ごとに行う。これを図７Ａ及び図７Ｂに示した。チャネルアロケーションは基地局（ＢＳ）レベルでも使い、ＢＳがユーザ端末（ＵＥ）にサブチャネルをいかに割り当てるか決定することができる。
【００１５】
図８は、時間的な精度（time granularity）に基づくスペクトル割り当ての４つの段階の階層を示す図である。スペクトル共存及び共有は時間や数日という時間スケールで行われる。長期スペクトル割り当ては１分または数分という時間スケールで行われる。短期スペクトル割り当ては１秒または数秒という時間スケールで行われる。チャネルアロケーション／ラジオリソースパーティショニングは１０ミリ秒または数１０ミリ秒という時間スケールで行われる。
【００１６】
第１の態様による管理方法は、複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理方法であって、ネットワーク状態に基づくトリガーに応じてスペクトル割り当てプロセスのインスタンスを実行する段階を有する。
【００１７】
この方法は、長期スペクトル割り当てに対する潜在的なトリガーが発生される長期的スペクトル管理の場合に特に有用である。この方法により、その時点でのトラフィック及びラジオチャネルの状態及び最後の長期スペクトル割り当て以来のトラフィック送信成功率とを利用して、長期的なスペクトルの利用可能性を活用（exploit）することによりスペクトル効率が向上する。この方法により、スペクトル共存及び共有（Spectrum Co-existence and Sharing）を微調整することができる。スペクトルの利用をあるＲＡＮから他のＲＡＮに与えることができ、ピーク時に必要があればラジオリソースを確実に利用できるようにして、ＱｏＳ、全体的なネットワークカバレッジとスループット、及び借り手（borrowing party）の収益を改善することができる。冗長なラジオスペクトルを無駄にせず効率的に利用できるようにすることにより、オペレータは貸し手（lending party）として余分な収入源からの利益を享受できる。より多くのラジオリソースにより良くより効率的にアクセスできるようになるので、コールブロック（call blockage）の可能性が低くなる。この方法は、優先順位のあるなしに関わらないネゴシエーションにおいて、長期スペクトル割り当てに適用できる。
【００１８】
「無線通信システム」との用語は無線（wireless）アクセスネットワークに関し、例えば、基地局などのネットワーク要素をすべて含むラジオ（radio）アクセスネットワークに関する。追加的または代替的に、例えば基地局などのネットワーク要素である通信装置に関する。他の構成（arrangement）では、ＲＦＩＤタグリーダやシンク（sink）またはワイヤレスセンサネットワーク基地局に関し、または、例えば制御回路である他の装置を含んでもよいネットワークを形成しているかかるリーダのグループに関する。ＷｉＭＡＸネットワークであってもよい。
【００１９】
スペクトル割り当てプロセスは、ある無線通信システムから第１及び第２の無線通信システムの一方に事前に割り当てられたスペクトルバンドの一部の、第１及び第２の無線通信システムの他方への再割り当て（re-assignment）を含む。言い換えると、第１のスペクトルバンドが第１の無線通信システムに事前に割り当てられ、第２のスペクトルバンドが第２の無線通信システムに事前に割り当てられている場合に、スペクトル割り当てプロセス（spectrum assignment process）は、（例えば、第１と第２の無線通信システム間のネゴシエーションの間に）第１及び第２の無線通信システムの一方から他方に、事前に割り当てられた第１と第２のスペクトルバンドの一部または全部を再割り当てする段階を含む。「事前に割り当てられた（pre-assigned）」との用語は、スペクトルバンドを事前に割り当てられた無線通信システムがそのスペクトルバンド内でオペレーションをするライセンスを得ていることを意味する。一方のシステムから他方のシステムにスペクトルの一部を割り当てる行為は、一方のシステムが他方のシステムに割り当てられたスペクトル部分を利用する許可を与え、許可を与えたシステムが割り当てた部分の利用を停止し、許可を受けたシステムが必要に応じて割り当てられた部分を利用できることを含む。スペクトル割り当てプロセスは、少なくとも短期スペクトル割り当てプロセスをさらに含むスペクトル共有方式の一部をなす長期スペクトル割り当てプロセスであってもよい。スペクトル割り当てプロセスは、前記第１の無線通信システムを含む少なくとも３つの無線通信システムが関与してもよい。スペクトル割り当てプロセスに関して使用した場合、「インスタンス」という用語は、スペクトル割り当てプロセスによる１回のスペクトルの割り当て（複数のスペクトル部分を含んでもよい）を意味する。
【００２０】
「スペクトル」という用語は、通信に利用できる電磁放射のラジオ周波数またはその他の周波数範囲を意味する。例えば、第１と第２の無線通信システムは、電磁波スペクトルのラジオ周波数の範囲内で動作するラジオアクセスネットワーク（ＲＡＮ）である。追加的または代替的に、無線通信システムは、例えばマイクロ波の周波数範囲内で動作してもよい。
【００２１】
「部分（portion）」や「バンド（band）」との用語は、スペクトルとの関係において、周波数の特定の範囲を意味する。その範囲は、一つの一続きの周波数範囲でもよいし、２つ以上に分かれた周波数範囲でもよい。「チャンク（chunk）」及び「サブチャンク（sub-chunk）」との用語もスペクトルの一部またはバンドを意味する。
【００２２】
スペクトル割り当てプロセスのインスタンスの「実行（effecting）」は、プロセスの開始・着手（undertaking）、プロセスの開始・着手の要求、またはプロセスの開始・着手の可能性の表示を含む。
【００２３】
「モバイル通信装置」は、ここでは、無線通信システムと無線通信を実行できる無線装置を意味する。例えば、この用語は、携帯電話、パーソナルデジタルアシスタント、ラップトップ、またはＰＣなどのユーザ装置（ユーザが携帯できる無線装置）や、ＲＦＩＤタグ／ノードまたは無線センサノードや、ＷｉＭＡＸ通信機能を有する装置に関する。
【００２４】
「トリガー（trigger）」との用語は、それに応じてスペクトル割り当てプロセスのインスタンスを実行（undertake）するのが適切である、第１の無線通信システムの内部または外部の信号、処理結果、刺激、または状況を意味する。特に、第１の構成から第３の構成においてそれぞれ、トリガーは周期的であっても、オファーされたトラフィックに対する送信されたトラフィックの割合が閾値を越えた時に行われても、一定期間に短期スペクトル割り当てが失敗する回数が閾値を越えた時に行われてもよい（失敗は連続したものでも非連続なものでもよい）。トリガーはネットワーク状態に基づき、そのため長期スペクトル割り当てプロセスは必要に応じて開始されてもよい。
【００２５】
第１の構成において、本方法は、ネットワーク状態に応じて決まる時間によりスペクトル割り当てプロセスのインスタンスを周期的に実行する段階を含んでもよい。その時間はトラフィックパターンに応じて設定され、長期スペクトル割り当てにより利益を得ることができる。一例として、あるオペレータが都市のビジネス街に位置し、他のオペレータが郊外に位置しているとする。勤務時間には人々は都市の中心部に集まる。この場合、郊外のオペレータは中心部のオペレータにスペクトルリソースの一部をシフトできる。夕方になると反対方向の移動が起き、（家庭や、学校から戻った子供や、インターネットサーフィンをする職業人により）郊外で同じくらいのスペクトルが必要となる。この場合、数時間という期間が長期スペクトル割り当てに好適な期間となる。このように、長期スペクトル割り当てプロセスを周期的にトリガーすることができる。「周期的（periodically）」との用語は、前のインスタンスから（一定または可変の）時間が経過すると、スペクトル割り当てプロセスの各インスタンスが実行されることを意味する。すなわち、スペクトル割り当てプロセスが場合に応じて繰り返し実行される。
【００２６】
第２の構成において、本方法は、第１の無線通信システムのトラフィック送信成功率を決定し、前記トラフィック送信成功率が所定の閾値より低いときスペクトル割り当てプロセスのインスタンスを実行する段階を含む。ＱｏＳと許容できるサービスの質的低下の量に応じて閾値を設定できる。トラフィック送信成功率を決定する段階は、第１の無線通信システムとの間で送信しようとしたトラフィック量に対する第１の無線通信システムとの間で送信されたトラフィック量の比率を計算する段階を含む。このように、送信されたトラフィックロードの状態（ネットワーク状態）に基づき長期スペクトル割り当てをトリガーする方法を設けてもよい。
【００２７】
第３の構成では、スペクトル割り当てプロセスは長期スペクトル割り当てプロセスである。本方法は、短期スペクトル割り当てプロセスの失敗を示すシグナリングを受信し、短期スペクトル割り当てプロセスの失敗回数が所定の閾値を越えたとき、長期スペクトル割り当てプロセスのインスタンスを実行する段階を含んでもよい。閾値はサービスのグレードや、失敗が生じたサービスの質の全体的低下に応じて設定できる。例えば、低下が激しく、サービスがプレミアムサービスである場合、１〜２回の失敗（attempts）とする。このように、各短期スペクトル割り当てプロセスの失敗または成功の個別の状態に基づく長期スペクトル割り当ての開始（triggering）する方法を設けてもよい。例えば、「長期」割り当てプロセスは約１分から数分の時間スケールで行われ、一方「短期」割り当てプロセスは約１秒から数秒の時間スケールで行われる。
【００２８】
スペクトル割り当てプロセスのインスタンスの実行は、プロセスに関わる各無線通信システムの好ましいスペクトル構成を取得し、好ましいスペクトル構成に基づき最終的スペクトル構成を計算する段階を含む。このように、関与する無線通信システム間の民主的かつ公平な長期スペクトル割り当てプロセスの方法を設けることができる。各好ましいスペクトル構成は、スペクトル割り当てプロセスに関わる無線通信システムにそれぞれ割り当てられる提案されたスペクトルのチャンクを含む。このように、各無線通信システムは、必要なスペクトル量を推定することができる。この推定には、システムがアロケーションされたスペクトルの一部を他のシステムに割り当て、他のシステムから割り当てられたスペクトルを受け取ることが含まれる。また、他のシステムが必要とするスペクトル量を推定することができる。変形例として、他のシステムに関する情報（例えば、他のシステムが必要とするスペクトル量や、他のシステムが必要とするスペクトル量を第１の無線通信システムが推定できる情報）を第１の無線通信システム（またはリードシステム（lead system））またはその他のシステムに事前に与えておいてもよい。無線通信システムは、推定したスペクトル量の好ましい構成を決定してもよい。この場合、無線通信システムはライセンスを受けたスペクトルバンド内で最大限動作することが好ましい。オ（オペレータ（operator）は、ライセンスを最大限利用して、さらに例えばスペクトルの共有部分を利用することができる。一方、多くのスペクトルを有するが９０％の時間は未利用部分があるシステム（例えば、軍用システムまたは衛星システム）は、スペクトルリソースをできるだけ他のシステムに貸して、より大きな収益を上げることができる。）それぞれの無線通信システムの好ましいスペクトル構成と最終的なスペクトル構成の少なくとも一方はバンド幅が専用の領域とバンド幅が共有の領域とを含む。専用バンド幅の領域を１つまたは複数のオペレータにライセンスしてもよく、一方、余分な共有バンド幅の領域は１つまたは複数のオペレータにライセンスされた部分、及び／またはライセンスされていない部分を含む。
【００２９】
「スペクトル構成（configuration）」という用語は、スペクトルの一部の構成（arrangement）にかかわり、各部分のスペクトルの量、及び／またはスペクトル構成中の他のスペクトル部分に対する位置を特定する。例えば、上限と下限によりスペクトルの各部を規定することにより、その部分の大きさと他のスペクトル部分に対するその位置の両方を示すことができる。スペクトルの一部をその大きさ及び／またはスペクトルＩＤにより特定してもよい。スペクトルＩＤは、例えば、候補の中から選択された各サブチャンクに割り当てられた番号である。サブチャンクにスペクトルＩＤを付与する方法はスペクトル割り当てプロセスの前に、またはその間に決定できる。スペクトル構成は１つまたは複数のガードバンドと、１つまたは複数のライセンスされたスペクトルの領域またはライセンスされていないスペクトルの領域を含み得る。また、スペクトル構成は、スペクトルの各部分をそれぞれのエンティティ（entity）に関連付ける情報を含む。ここで、エンティティは、無線通信システム（例えば、ラジオアクセスネットワーク）やその一部や、セル局または基地局またはそのクラスタのグループや、かかるエンティティに属するアップリンクまたはダウンリンク等である。
【００３０】
好ましいスペクトル構成を取得する段階は、他の各無線通信システムからそれぞれの好ましいスペクトル構成を示すシグナリングを受信する段階を含み、前記第１の無線通信システムの付加的／余剰スペクトル量を計算し、前記付加的／余剰スペクトルの量を用いて前記第１の無線通信システムに割り当てるスペクトルのチャンクの大きさを決定し、前記スペクトル割り当てプロセスに関わる他の各無線通信システムに割り当てるスペクトルのチャンクの大きさを評価し、前記スペクトルのチャンクを配置して前記第１の無線通信システムの好ましいスペクトル構成を形成することにより第１の無線通信システムの好ましいスペクトル構成を取得する段階をさらに含む。
【００３１】
第１の無線通信システムの付加的／余剰スペクトルの量を計算する段階は、第１の無線通信システムに関連するトラフィック送信成功率及び干渉レベルのうち少なくとも一方を含むパラメータに基づき、第１の無線通信システムが必要とするスペクトル量、または第１の無線通信システムから他の無線通信システムに割り当てられるスペクトル量を決定する段階を含む。トラフィック送信成功率を決定する段階は、第１の無線通信システムとの間で送信しようとしたトラフィック量に対する第１の無線通信システムとの間で送信されたトラフィック量の比率を計算する段階を含む。第１の無線通信システムの干渉レベルは、現在（current）の干渉レベル、最近の干渉レベル、所定期間または所定数のパケット等にわたる干渉レベルの移動平均、その他第１の無線通信システムに生じる干渉の適切な判断尺度を含む。干渉レベルの測定は、無線通信システムが、借り手が割り当てられたスペクトル部分に切り替える直前及び直後に、信号対干渉レベル（ＳＩＲ）を測定（または推定）するスペクトル部分を発行する段階を含み、この情報は上記の通りその後のスペクトル割り当てのために利用される。割り当てシステムはＳＩＲ値を比較して差を計算する。割り当てシステムは、共有バンド内でどのくらいの追加的干渉またはＳＩＲ損失を被ったか通知することができる。干渉またはＳＩＲを測定／推定する能力はすでにあると仮定する。干渉を測定するとき、借りたスペクトルに主にフォーカスする。例えば、現在共有されているバンド部分内における干渉またはＳＩＲの増減を排他的にモニターしてもよい。２つめの問題は周辺バンドである。スペクトルの共有部分から非共有部分への干渉がどのくらいあるかが問題となる。
【００３２】
決定はマッピングテーブル（またはルックアップテーブル）を用いてパラメータから付加的／余剰スペクトルの量を取得する段階を含む。本方法は、例えばルックアップテーブルを利用することにより、各無線通信システムのトラフィック送信成功率と干渉レベルを次の長期スペクトル割り当てにおいて要求されたスペクトルレベルにマッピングする段階を設けてもよい。
【００３３】
最終スペクトル構成を計算する段階は、好ましいスペクトル構成を平均する段階を含む。一つの構成では、現在担当となっている無線通信システム（例えば、そのゲートウェイ）は、提案されたすべての長期スペクトル構成（好ましいスペクトル構成）を考慮して、一つの（unique）長期スペクトル構成（最終的スペクトル構成）を見つける。例えば、公平な長期スペクトル割り当てをするために、提案された割当にわたり提案されたスペクトルチャンクを平均して、最終的な長期スペクトル割り当てを見つける。
【００３４】
各好ましいスペクトル構成は、スペクトル割り当てプロセスに関わる無線通信システムにそれぞれ割り当てられる提案されたスペクトルのチャンクを含む。平均は、無線通信システムに割り当てる提案されたスペクトルのチャンクのすべてを合計し、スペクトル割り当てプロセスに関与する無線通信システムの数で割ることにより、各無線通信システムの最終的なスペクトルのチャンクを計算する段階を含む。
【００３５】
本方法は第１の無線通信システムにより実行されてもよい。第１の無線通信システムは、スペクトル割り当てプロセスに関与する無線通信システム中のリード無線通信システムである。
【００３６】
本発明は、所定の方法に応じて、前記第１の無線通信システムから他の無線通信システムにリード無線通信システムのステータスを移す段階を含むことができる。所定の方法は、ラウンドロビン方式、またはあるシステム（例えばゲートウェイ）から他のシステム（例えば他のゲートウェイ）に最終的な長期スペクトル割り当てに関する決定をする責任をシフトするローテーションメカニズムを含んでも良い。
【００３７】
スペクトル割り当てプロセスのインスタンスを実行する段階は、中央スペクトルブローカモジュールにスペクトル関係のシグナリングを送信する段階と、中央スペクトルブローカモジュールから最終的なスペクトル構成を示すシグナリングを受信する段階とを含む。
【００３８】
スペクトル割り当てプロセスに関与する２つ以上の無線通信システムは、同一の全体ネットワークの部分をなす、ネットワーク要素の２つ以上のグループを含む。本システムは、独立して前記スペクトル割り当てプロセスに参加する前記２つ以上の無線通信システムを含んでも良い。
【００３９】
第２の態様による管理装置は、複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理装置であって、ネットワーク状態に基づくトリガーに応じてスペクトル割り当てプロセスのインスタンスを実行するスペクトル割り当て回路を有する。
【００４０】
スペクトル割り当て回路は、ネットワー状態に応じた時間により周期的にスペクトル割り当てプロセスのインスタンスを実行する。
【００４１】
スペクトル割り当て回路は、第１の無線通信システムのトラフィック送信成功率を決定し、トラフィック送信成功率が所定の閾値より低いときスペクトル割り当てプロセスのインスタンスを実行する。
【００４２】
スペクトル割り当て回路は、短期スペクトル割り当てプロセスの失敗を示すシグナリングを受信し、短期スペクトル割り当てプロセスの失敗回数が所定の閾値を越えたとき、長期スペクトル割り当てプロセスのインスタンスを実行する。
【００４３】
スペクトル割り当て回路は、プロセスに関わる各無線通信システムの好ましいスペクトル構成を取得し、好ましいスペクトル構成に基づき最終的スペクトル構成を計算する。
【００４４】
前記スペクトル割り当て回路は、他の各無線通信システムからそれぞれの好ましいスペクトル構成を示すシグナリングを受信し、さらに、前記第１の無線通信システムの付加的／余剰スペクトル量を計算し、前記付加的／余剰スペクトルの量を用いて前記第１の無線通信システムに割り当てるスペクトルのチャンクの大きさを決定し、前記スペクトル割り当てプロセスに関わる他の各無線通信システムに割り当てるスペクトルのチャンクの大きさを評価し、前記スペクトルのチャンクを配置して前記第１の無線通信システムの好ましいスペクトル構成を形成することにより第１の無線通信システムの好ましいスペクトル構成を取得することにより、好ましいスペクトル構成を取得する。
【００４５】
スペクトル割り当て回路は、第１の無線通信システムに関連するトラフィック送信成功率及び干渉レベルのうち少なくとも一方を含むパラメータに基づき、第１の無線通信システムが必要とするスペクトル量、または第１の無線通信システムから他の無線通信システムに割り当てられるスペクトル量を決定することにより、第１の無線通信システムの付加的／余剰スペクトルの量を計算する。
【００４６】
スペクトル割り当て回路は、マッピングテーブルを用いてパラメータから付加的／余剰スペクトルの量を取得することによりその決定をできる。
【００４７】
スペクトル割り当て回路は好ましいスペクトル構成を平均することにより最終的スペクトル構成を計算する。
【００４８】
各好ましいスペクトル構成は、スペクトル割り当てプロセスに関わる無線通信システムにそれぞれ割り当てられる提案されたスペクトルのチャンクを含む。スペクトル割り当て回路は、無線通信システムに割り当てる提案されたスペクトルのチャンクのすべてを合計し、スペクトル割り当てプロセスに関与する無線通信システムの数で割ることにより、各無線通信システムの最終的なスペクトルのチャンクを計算することにより、好ましいスペクトル構成を平均することができる。
【００４９】
スペクトル割り当て回路は、所定の方法に応じて、第１の無線通信システムから他の無線通信システムにリード無線通信システムのステータスを移すことができる。
【００５０】
スペクトル割り当て回路は、中央スペクトルブローカモジュールにスペクトル関係のシグナリングを送信し、中央スペクトルブローカモジュールから最終的なスペクトル構成を示すシグナリングを受信することにより、スペクトル割り当てプロセスのインスタンスを実行することができる。
【００５１】
スペクトル割り当て回路は、第１の無線通信システムとの間で送信しようとしたトラフィック量に対する第１の無線通信システムとの間で送信されたトラフィック量の比率を決定するころにより、トラフィック送信成功率を計算することができる。
【００５２】
スペクトル割り当て回路は長期スペクトル割り当て回路であってもよい。本装置は短期スペクトル割り当て回路をさらに有していてもよい。
【００５３】
第３の態様によると、ネットワーク要素または外部制御要素の一部であるコンピュータで実行されたとき、前記コンピュータに第１の態様の方法を実行させるコンピュータプログラムが提供される。
【００５４】
第４の態様によると、ネットワーク要素または外部制御要素の一部であるコンピュータにロードされたとき、前記コンピュータを第２の態様の装置にするコンピュータプログラムが提供される。
【００５５】
第３と第４の態様のコンピュータプログラムはキャリア媒体（carrier medium）により担われていてもよい。キャリア媒体は記録媒体及び／または伝送媒体を含む。
【００５６】
第５の態様によるコンピュータプログラムは、コンピュータで実行されると、前記コンピュータに、複数の無線通信システムの１つが少なくとも１つの他の無線通信システムにスペクトルの一部を割り当てる、複数の無線通信システムによるスペクトル割り当てプロセスに参加する第１の無線通信システムにおけるスペクトル利用の管理方法を実行させる。該方法は、ネットワーク状態に基づくトリガーに応じてスペクトル割り当てプロセスのインスタンスを実行する段階を有する。
【００５７】
第６の態様によるコンピュータプログラムは、複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理をする。該コンピュータプログラムは、ネットワーク状態に基づくトリガーに応じてスペクトル割り当てプロセスのインスタンスを実行するスペクトル割り当てコードを含む。
【００５８】
回路にはプロセッサ、メモリ、バスラインが含まれ得る。上記の回路は回路要素を共有していてもよい。
【００５９】
本発明は、（特許請求の範囲を含めて）特段の言及の存否にかかわらず、単独の、または様々な組み合わせの１つまたは複数の態様、実施形態、または特徴を含む。
【００６０】
上記の概要は例示であり限定ではない。
【００６１】
本発明の実施形態は、複数のＲＡＮ間における長期スペクトル割り当て方法に関し、長期スペクトル割り当てを開始する様々なトリガーを開示する。
【００６２】
図９は、長期スペクトル割り当てプロセスの周期的起動を含む第１のトリガータイプに関する。並行した複数の短期スペクトルアロケーションを行い、長期スペクトル割り当てを、ネットワーク状態に応じて決まる時間により規則的かつ周期的に呼び出す。
【００６３】
図１０と図１１は、送信されたトラフィック負荷状態に基づく（すなわち、送信されたトラフィック負荷によるインパクトを考慮して）長期スペクトル割り当てのトリガーを含む第２のトリガータイプに関する。この場合、プライマリＲＡＮはなく、ＲＡＮ間に優先関係はない。図１０は、相異なる複数のネットワークで複数の短期スペクトル割り当てが同時に行われ、各ネットワークのゲートウェイが監視するシナリオを示す。図１０に示した矢印は、ネットワークの要素間でやりとりされるシグナリング（signalling）を示す。
【００６４】
各ゲートウェイＧＷ１−３は、自分のＲＡＮ１−３における短期スペクトル割り当て（ST spectrum assignments）に対して責任を有する。ゲートウェイＧＷ１−３は、短期スペクトル割り当てプロセス後、図１１に示したように、前の短期スペクトル割り当てについて、送信すべきトラフィックに対する送信したトラフィックの比率を要求する。この比率がある閾値より低い場合、ゲートウェイＧＷ１−３は、他のゲートウェイＧＷ１−３に長期スペクトル割り当て要求を送る。その要求を送った、問題を有するゲートウェイがプライマリゲートウェイであるとき、その要求は必ず受け入れられる。そうでない場合は、図１１に示したように、他のゲートウェイＧＷは自分のトラフィック送信成功率（traffic delivery success ratio）を求め（consider）、ある閾値以下であれば、長期スペクトル割り当てに同意する。
【００６５】
図１２と図１３は、各短期スペクトル割り当てプロセスの失敗または成功の個別の状態に基づく長期スペクトル割り当てのトリガー（triggering）を含む第３のトリガータイプに関する。
【００６６】
複数の短期スペクトル割り当てが行われていると仮定する。一例として、図１２は、ＲＡＮ２の基地局ＢＳ５がＲＡＮ１の基地局ＢＳ１から、要求したスペクトル（chunk of spectrum）を取得できないシナリオを示している。
【００６７】
ゲートウェイのどれかが、短期スペクトル割り当てプロセスが複数回失敗したことを検知すると（すなわち、基地局からの割り当て要求の失敗回数がある閾値より大きいと）、図１３に示すように、ゲートウェイは長期スペクトル割り当て要求を送る。
【００６８】
長期スペクトル割り当てプロセスはどのトリガー（triggers）に応じて行ってもよい。
【００６９】
ステップ１において、長期スペクトル割り当てプロセスが許可され開始されると、それに関係するゲートウェイは、最後に長期スペクトル割り当てプロセスを行ってからの総トラフィック送信成功率を評価する。
【００７０】
ステップ２では、ゲートウェイが、それが制御するすべての基地局の現在の干渉レベルを評価する。
【００７１】
ステップ３では、ゲートウェイが、トラフィック送信成功率と現在の干渉レベルとを、ルックアップテーブルを利用して、必要とするすべての付加的スペクトルに、または開放したいスペクトルにマッピングする。トラフィック送信成功率が高く、干渉が小さいほど、現在のスペクトル構成を変更する要望は小さい。
【００７２】
ステップ４では、１つのゲートウェイがマスターゲートウェイとなり、ディシジョンメーカーとなる。（マスターゲートウェイになる義務は周期的に変化する。次の長期スペクトル割り当てプロセスにおいて、現在のマスターゲートウェイはラウンドロビン式で他のゲートウェイに置き換わる。）
ステップ５では、各ゲートウェイが担当のゲートウェイに好ましいスペクトル構成（好ましいと思っている新しいスペクトル構成）を送る。例えば、図１４は、３つのゲートウェイＧＷ１−３の好ましいスペクトル構成（提案されたスペクトル構成）を示している。それぞれの好ましいスペクトル構成は、長期スペクトル割り当てプロセスに関係するＲＡＮにそれぞれアロケーションされる、提案されたスペクトルのチャンク（chunks of spectrum）よりなる。
【００７３】
ステップ５では、現在担当しているゲートウェイが、すべての好ましいスペクトル構成を検討して、長期スペクトル割り当ての基礎となる最終的なスペクトル構成を見つけ出す。長期スペクトル割り当てを公平に行うため、一実施形態では、ゲートウェイは提案されたスペクトルを好ましいスペクトル構成に渡って平均して、最終的なスペクトル構成を見つける。他の実施形態の例では、図１５に示したように、ゲートウェイＧＷ２とゲートウェイＧＷ３が２つの相異なるスペクトルサイズをアロケーションする提案をする。この例では、ゲートウェイＧＷ１は、新しい提案をしないことにより、現在のスペクトル構成でよいと（または、前の長期スペクトル割り当てで提案したスペクトルでよいと）表明している。これらの２つのスペクトル（chunks）を足して３で割って、ＲＡＮ３にアロケーションするべきスペクトル量を見つける。どの場合でも、スペクトル構成内のチャンクの位置は、（中央データベース内のスペクトルポリシーの一部であるデータポリシー内に保持された）所定の方法（arrangement）により設定される。例えば、あるオペレータは正式な合意により常に（スペクトル量にかかわらず）第１のチャンクを取り、第２のオペレータは第２のチャンクを取り、第３のオペレータは最後のチャンクを取る。最終的なスペクトル構成は、次の長期スペクトル割り当てプロセスがトリガーされるまで、短期スペクトル割り当てプロセスで有効である。
【００７４】
長期スペクトル割り当てプロセスが完了すると、各ＲＡＮはアカウンティング目的のため（for accounting purposes）自局のスペクトル管理部に決定内容を登録する。スペクトル管理部はさらなるアカウンティング活動のために使用するスペクトルポリシーを含む。
【００７５】
図１６は、長期スペクトル割り当てプロセスのためのプロトコルを示す図である。
【００７６】
上記のマスターゲートウェイのステータスのラウンドロビン方式による移転の変形例として、集中長期スペクトル割り当てブローカリングシステムを使用し、すべてのゲートウェイは状況パラメータと付加的スペクトル要求をブローカリングシステムに送る。中央スペクトルブローカは、決定を下すために、すべてのゲートウェイからすべての情報を必要とし、そのため、ゲートウェイからコアネットワーク及び中央スペクトルブローカに１〜２分おきにシグナリングが送信される。長期スペクトル割り当てプロセスとブローカリング（brokering）は１〜２分おきに行われるので、ラウンドロビンアプローチで提案されているように中央ブローカリングシステムを使わないことにより、長期スペクトル割り当ての時間フレームが速くなり、プロセスを完全に集中することによる遅延を回避できる。各ＲＡＮには、ゲートウェイとそれのスペクトル管理部が配置されている。中央スペクトルブローカはコアネットワーク内に配置される。
【００７７】
上記の実施形態は複数のゲートウェイを有するＲＡＮであって、各地理的エリアにゲートウェイが割り当てられおり、自分のスペクトル要求に応じて、上記のプロトコルに基づいて他のＲＡＮと交渉する。
【００７８】
言うまでもなく、上記の回路は説明した機能に加えて他の機能を有してもよく、これらの機能は同じ回路で実行できてもよい。
【００７９】
出願人は、特許請求の範囲を限定することなく、ここに開示した問題を解決できるかどうかにかかわらず、当業者の通常の知識を考慮して本明細書全体に基づき実施できる程度に、ここで説明した個別の特徴及びかかる特徴の組み合わせをここに開示した。本発明の態様はかかる個別の特徴またはその組み合わせよりなる。上記の説明を考慮すると、当業者には本発明の範囲内で様々な修正をすることができることが明らかである。本発明は以下の付記にも及ぶ。
（付記１）複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理方法であって、
ネットワーク状態に基づくトリガーに応じてスペクトル割り当てプロセスのインスタンスを実行する段階を含む方法。
（付記２）前記ネットワーク状態に応じて決まる時間により前記スペクトル割り当てプロセスのインスタンスを周期的に実行する段階を含む、付記１に記載の方法。
（付記３）前記第１の無線通信システムのトラフィック送信成功率を決定し、前記トラフィック送信成功率が所定の閾値より低いときスペクトル割り当てプロセスのインスタンスを実行する段階を含む、付記１または２に記載の方法。
（付記４）前記スペクトル割り当てプロセスは長期スペクトル割り当てプロセスであり、短期スペクトル割り当てプロセスの失敗を示すシグナリングを受信し、短期スペクトル割り当てプロセスの失敗回数が所定の閾値を越えたとき、長期スペクトル割り当てプロセスのインスタンスを実行する段階を含む、付記１ないし３いずれか一項に記載の方法。
（付記５）前記スペクトル割り当てプロセスのインスタンスの実行は、プロセスに関わる各無線通信システムの好ましいスペクトル構成を取得し、前記好ましいスペクトル構成に基づき最終的スペクトル構成を計算する段階を含む、付記１ないし４いずれか一項に記載の方法。
（付記６）前記好ましいスペクトル構成を取得する段階は、他の各無線通信システムからそれぞれの好ましいスペクトル構成を示すシグナリングを受信する段階を含み、
前記第１の無線通信システムの付加的／余剰スペクトル量を計算し、前記付加的／余剰スペクトルの量を用いて前記第１の無線通信システムにアロケーションするスペクトルのチャンクの大きさを決定し、
前記スペクトル割り当てプロセスに関わる他の各無線通信システムにアロケーションするスペクトルのチャンクの大きさを評価し、
前記スペクトルのチャンクを配置して前記第１の無線通信システムの好ましいスペクトル構成を形成することにより前記第１の無線通信システムの好ましいスペクトル構成を取得する段階をさらに含む、付記５に記載の方法。
（付記７）前記第１の無線通信システムの付加的／余剰スペクトルの量を計算する段階は、前記第１の無線通信システムに関連するトラフィック送信成功率及び干渉レベルのうち少なくとも一方を含むパラメータに基づき、前記第１の無線通信システムが必要とするスペクトル量、または前記第１の無線通信システムから他の無線通信システムに割り当てられるスペクトル量を決定する段階を含む、付記６に記載の方法。
（付記８）前記決定はマッピングテーブルを用いて前記パラメータから付加的／余剰スペクトルの量を取得する段階を含む、付記７に記載の方法。
（付記９）前記最終スペクトル構成を計算する段階は、前記好ましいスペクトル構成を平均する段階を含む、付記５ないし８いずれか一項に記載の方法。
（付記１０）各好ましいスペクトル構成は、前記スペクトル割り当てプロセスに関わる無線通信システムにそれぞれアロケーションされる提案されたスペクトルのチャンクを含み、前記平均は、無線通信システムにアロケーションする提案されたスペクトルのチャンクのすべてを合計し、前記スペクトル割り当てプロセスに関与する無線通信システムの数で割ることにより、各無線通信システムの最終的なスペクトルのチャンクを計算する段階を含む、付記９に記載の方法。
（付記１１）前記第１の無線通信システムは前記スペクトル割り当てプロセスに関与する無線通信システム中のリード無線通信システムである、前記第１の無線通信システムにより実行される付記５ないし１０いずれか一項に記載の方法。
（付記１２）所定の方法に応じて、前記第１の無線通信システムから他の無線通信システムにリード無線通信システムのステータスを移す段階を含む、付記１１に記載の方法。
（付記１３）前記スペクトル割り当てプロセスのインスタンスを実行する段階は、中央スペクトルブローカモジュールにスペクトル関係のシグナリングを送信する段階と、前記中央スペクトルブローカモジュールから最終的なスペクトル構成を示すシグナリングを受信する段階とを含む、付記１ないし４いずれか一項に記載の方法。
（付記１４）トラフィック送信成功率を計算する段階は、前記第１の無線通信システムとの間で送信しようとしたトラフィック量に対する前記第１の無線通信システムとの間で送信されたトラフィック量の比率を決定する段階を含む、付記３または７に記載の方法。
（付記１５）前記スペクトル割り当てプロセスは、少なくとも短期スペクトル割り当てプロセスをさらに含むスペクトル共有方式の一部をなす長期スペクトル割り当てプロセスである、付記１ないし４いずれか一項に記載の方法。
（付記１６）前記スペクトル割り当てプロセスは前記第１の無線通信システムを含む少なくとも３つの無線通信システムが関与する、付記１ないし４いずれか一項に記載の方法。
（付記１７）無線通信システムの好ましいスペクトル構成と前記最終的なスペクトル構成の少なくとも一方はバンド幅が専用の領域とバンド幅が共有の領域とを含む、付記５ないし１６いずれか一項に記載の方法。
（付記１８）前記スペクトル割り当てプロセスに関与する２つ以上の無線通信システムは、同一の全体ネットワークの部分をなす、ネットワーク要素のグループを含み、前記２つ以上の無線通信システムは独立して前記スペクトル割り当てプロセスに参加する、付記１ないし４いずれか一項に記載の方法。
（付記１９）複数の無線通信システムの１つが少なくとも１つの他の無線通信システムにスペクトルの一部を割り当てる、前記複数の無線通信システムによるスペクトル割り当てプロセスに参加する第１の無線通信システムにおけるスペクトル利用の管理装置であって、ネットワーク状態に基づくトリガーに応じてスペクトル割り当てプロセスのインスタンスを実行するスペクトル割り当て回路を有する管理装置。
（付記２０）前記スペクトル割り当て回路は、ネットワー状態に応じた時間により周期的にスペクトル割り当てプロセスのインスタンスを実行する、付記１９に記載の装置。
（付記２１）前記第１の無線通信システムのトラフィック送信成功率を決定し、前記トラフィック送信成功率が所定の閾値より低いときスペクトル割り当てプロセスのインスタンスを実行するスペクトル割り当て回路を有する、付記１９または２０に記載の装置。
（付記２２）前記スペクトル割り当てプロセスは長期スペクトル割り当てプロセスであり、前記スペクトル割り当て回路は、短期スペクトル割り当てプロセスの失敗を示すシグナリングを受信し、短期スペクトル割り当てプロセスの失敗回数が所定の閾値を越えたとき、長期スペクトル割り当てプロセスのインスタンスを実行する付記１９ないし２１いずれか一項に記載の装置。
（付記２３）前記スペクトル割り当て回路は、プロセスに関わる各無線通信システムの好ましいスペクトル構成を取得し、前記好ましいスペクトル構成に基づき最終的スペクトル構成を計算する、付記１９ないし２２いずれか一項に記載の装置。
（付記２４）前記スペクトル割り当て回路は、他の各無線通信システムからそれぞれの好ましいスペクトル構成を示すシグナリングを受信し、さらに
前記第１の無線通信システムの付加的／余剰スペクトル量を計算し、前記付加的／余剰スペクトルの量を用いて前記第１の無線通信システムにアロケーションするスペクトルのチャンクの大きさを決定し、
前記スペクトル割り当てプロセスに関わる他の各無線通信システムにアロケーションするスペクトルのチャンクの大きさを評価し、
前記スペクトルのチャンクを配置して前記第１の無線通信システムの好ましいスペクトル構成を形成することにより前記第１の無線通信システムの好ましいスペクトル構成を取得することにより、好ましいスペクトル構成を取得する、付記２３に記載の装置。
（付記２５）前記スペクトル割り当て回路は、前記第１の無線通信システムに関連するトラフィック送信成功率及び干渉レベルのうち少なくとも一方を含むパラメータに基づき、前記第１の無線通信システムが必要とするスペクトル量、または前記第１の無線通信システムから他の無線通信システムに割り当てられるスペクトル量を決定することにより、前記第１の無線通信システムの付加的／余剰スペクトルの量を計算する、付記２４に記載の装置。
（付記２６）前記スペクトル割り当て回路は、マッピングテーブルを用いて前記パラメータから付加的／余剰スペクトルの量を取得することにより前記決定をする、付記２５に記載の装置。
（付記２７）前記スペクトル割り当て回路は好ましいスペクトル構成を平均することにより最終的スペクトル構成を計算する、付記２３ないし２６いずれか一項に記載の装置。
（付記２８）各好ましいスペクトル構成は、前記スペクトル割り当てプロセスに関わる無線通信システムにそれぞれアロケーションされる提案されたスペクトルのチャンクを含み、前記スペクトル割り当て回路は、無線通信システムにアロケーションする提案されたスペクトルのチャンクのすべてを合計し、前記スペクトル割り当てプロセスに関与する無線通信システムの数で割ることにより、各無線通信システムの最終的なスペクトルのチャンクを計算することにより、好ましいスペクトル構成を平均する、付記２７に記載の装置。
（付記２９）前記第１の無線通信システムは前記スペクトル割り当てプロセスに関与する無線通信システム中のリード無線通信システムである、付記２３ないし２８いずれか一項に記載の装置。
（付記３０）スペクトル割り当て回路は、所定の方法に応じて、前記第１の無線通信システムから他の無線通信システムにリード無線通信システムのステータスを移す、付記２９に記載の装置。
（付記３１）前記スペクトル割り当て回路は、中央スペクトルブローカモジュールにスペクトル関係のシグナリングを送信し、前記中央スペクトルブローカモジュールから最終的なスペクトル構成を示すシグナリングを受信することにより、前記スペクトル割り当てプロセスのインスタンスを実行する、付記２３に記載の装置。
（付記３２）前記スペクトル割り当て回路は、前記第１の無線通信システムとの間で送信しようとしたトラフィック量に対する前記第１の無線通信システムとの間で送信されたトラフィック量の比率を決定するころにより、トラフィック送信成功率を計算する、付記２１または２５に記載の装置。
（付記３３）前記スペクトル割り当てプロセスは、少なくとも短期スペクトル割り当てプロセスをさらに含むスペクトル共有方式の一部をなす長期スペクトル割り当てプロセスである、付記１９ないし３２いずれか一項に記載の装置。
（付記３４）前記スペクトル割り当てプロセスは前記第１の無線通信システムを含む少なくとも３つの無線通信システムが関与する、付記１９ないし３３いずれか一項に記載の装置。
（付記３５）無線通信システムの好ましいスペクトル構成と前記最終的なスペクトル構成の少なくとも一方はバンド幅が専用の領域とバンド幅が共有の領域とを含む、付記２３ないし３４いずれか一項に記載の装置。
（付記３６）前記スペクトル割り当てプロセスに関与する無線通信システムは、同一の全体ネットワークの部分をなす、ネットワーク要素のグループを含み、前記２つ以上の無線通信システムは独立して前記スペクトル割り当てプロセスに参加する、付記１９ないし３５いずれか一項に記載の装置。
（付記３７）ネットワーク要素または外部制御要素の一部であるコンピュータで実行されたとき、前記コンピュータに付記１ないし１８いずれか一項に記載の方法を実行させるコンピュータプログラム。
（付記３８）ネットワーク要素または外部制御要素の一部であるコンピュータにロードされたとき、前記コンピュータを付記１９ないし３６いずれか一項に記載の装置にするコンピュータプログラム。
（付記３９）キャリア媒体に担われた、付記３７または３８に記載されたコンピュータプログラム。
（付記４０）前記キャリア媒体は記録媒体である、付記３９に記載のコンピュータプログラム。
（付記４１）前記キャリア媒体は伝送媒体である、付記３９に記載のコンピュータプログラム。
【図１】
0005218098.tif 000002
【図２】
0005218098.tif 000003
【図３】
0005218098.tif 000004
【図４】
0005218098.tif 000005
【図５】
0005218098.tif 000006
【図６】
0005218098.tif 000007
【図７Ａ】
0005218098.tif 000008
【図７Ｂ】
0005218098.tif 000009
【図８】
0005218098.tif 000010
【図９】
0005218098.tif 000011
【図１０】
0005218098.tif 000012
【図１１】
0005218098.tif 000013
【図１２】
0005218098.tif 000014
【図１３】
0005218098.tif 000015
【図１４】
0005218098.tif 000016
【図１５】
0005218098.tif 000017
【図１６】
0005218098.tif 000018
【図１７】
0005218098.tif 000019